【手続補正書】
【提出日】平成21年8月31日(2009.8.31)
【手続補正１】
【補正対象書類名】特許請求の範囲
【補正対象項目名】全文
【補正方法】変更
【補正の内容】
【特許請求の範囲】
【請求項１】
移動局により実装される、共用下りリンクのトラヒック・チャネルの帯域内で送信される無線リソースの制御メッセージを検出する方法であって、
共用下りリンクのトラヒック・チャネルの前記移動局を対象とするスケジューリング済み送信を、前記共用下りリンクのトラヒック・チャネルの前記スケジューリング済み送信に先立って、移動特有シーケンスと制御チャネルで送信される制御信号との相関を取ることにより検出する工程と、
前記共用下りリンクのチャネルで無線リソースの制御メッセージが予期される場合、検出失敗の可能性を低減するために、前記スケジューリング済み送信の検出に使用される相関閾値を下げる工程と
を有する方法。
【請求項２】
前記共用下りリンクのトラヒック・チャネルのスケジューリング済み送信を検出する工程が、前記制御信号から生成された相関値を前記相関閾値と比較する工程を含む請求項１に記載の方法。
【請求項３】
前記無線リソースの制御メッセージが予期される場合に前記相関閾値を下げる工程が、ハンドオーバ・イベントに対応する前記相関閾値を下げる工程を含む請求項１に記載の方法。
【請求項４】
前記ハンドオーバ・イベントに対応して要求メッセージを送る工程をさらに有し、
前記相関閾値の前記調整が前記要求メッセージへの応答の検出を改善するために行われる請求項３に記載の方法。
【請求項５】
前記要求メッセージが、在圏セルを変更する要求または前記移動局に対するアクティブ・セット内の構成メンバを変更する要求を含む請求項４に記載の方法。
【請求項６】
前記相関閾値をハンドオーバ・イベントに対応して下げる工程が、
前記ハンドオーバ・イベントがクリティカル・イベントかどうかを決定する工程と、
前記ハンドオーバ・イベントがクリティカル・イベントであれば前記相関閾値を下げる工程と、
前記ハンドオーバ・イベントがクリティカル・イベントでなければ前記相関閾値を変更せずにそのままにしておく工程と
を含む請求項３に記載の方法。
【請求項７】
前記相関閾値をハンドオーバ・イベントに対応して下げる工程が前記相関閾値を所定期間下げ、前記所定期間の長さが前記ハンドオーバ・イベントのタイプに依存する工程を含む請求項３に記載の方法。
【請求項８】
前記所定期間が終了する際に前記相関閾値を以前の値に調整する工程をさらに有する請求項７に記載の方法。
【請求項９】
前記相関閾値を下げる工程が前記相関閾値の変更量を決定する工程を含み、
前記相関閾値の前記変更量が、前記移動局が在圏セルから受信する信号強度または前記ハンドオーバのタイプに基づいて決定される請求項１に記載の方法。
【請求項１０】
前記制御チャネルがＷＣＤＭＡシステムにおける高速共用制御チャネルを含み、
前記共用トラヒック・チャネルがＷＣＤＭＡシステムにおける高速物理下りリンク共用チャネルを含む請求項１に記載の方法。
【請求項１１】
移動局であって、
共用下りリンクのトラヒック・チャネルでパケットを受信する受信機と、
前記共用下りリンクのトラヒック・チャネルで前記移動局への前記パケットのスケジューリング済み送信を検出し、前記共用下りリンクのトラヒック・チャネルで前記移動局に送られる無線リソースの制御メッセージを前記移動局が予期している場合、検出見逃しの可能性を低減するように前記受信機を改変する制御部と
を備える移動局。
【請求項１２】
前記制御部が、前記移動局が前記共用下りリンクのトラヒック・チャネルで前記移動局に送られる無線リソースの制御メッセージを予期している場合、前記受信機の構成を変更することにより前記受信機を改変する請求項１１に記載の移動局。
【請求項１３】
前記共用下りリンクのトラヒック・チャネルで無線リソースの制御メッセージが送信されることが予期される場合、前記制御部が、前記受信機の受信モードをＲＡＫＥ受信モードから汎用ＲＡＫＥ受信モードに変更することにより、前記受信機の構成を変更する請求項１２に記載の移動局。
【請求項１４】
前記制御部が、前記受信機により使用される受信アンテナの数を変更することにより前記受信機の受信モードを変更して、前記受信機の構成を変更する請求項１２に記載の移動局。
【請求項１５】
前記受信機が複数のＲＡＫＥフィンガを有するＲＡＫＥ受信機または汎用ＲＡＫＥ受信機を備え、
前記制御部が、前記制御チャネルに対して前記ＲＡＫＥフィンガ割り当てを変更することにより前記受信機の受信モードを変更して、前記受信機の構成を変更する請求項１２に記載の移動局。
【請求項１６】
前記共用下りリンクのトラヒック・チャネルで前記移動局に送られる無線リソースの制御メッセージを前記移動局が予期している場合、前記制御部が、前記受信機により使用されている受信パラメータを変更することにより前記受信機を改変する請求項１１に記載の移動局。
【請求項１７】
前記制御部が、前記共用下りリンクのトラヒック・チャネルの前記スケジューリング済み送信に先立って制御チャネル上で送信される制御信号と移動特有シーケンスとの相関を取ることにより、前記共用下りリンクのトラヒック・チャネルのスケジューリング済み送信を改変する請求項１６に記載の移動局。
【請求項１８】
前記制御チャネルがＷＣＤＭＡシステムにおける高速共用制御チャネルを含み、
前記共用トラヒック・チャネルがＷＣＤＭＡシステムにおける高速物理下りリンク共用チャネルを含む
請求項１７に記載の移動局。
【請求項１９】
前記制御部が、前記制御信号と移動特有シーケンスとの相関を取って相関値を生成し、前記相関値と相関閾値とを比較する請求項１７に記載の移動局。
【請求項２０】
前記制御部が、無線リソースの制御メッセージが前記共用下りリンク・チャネルで予期される場合、前記相関閾値を改変することにより前記受信機を改変する請求項１９に記載の移動局。
【請求項２１】
前記制御部が、ハンドオーバ・イベントに応じる際に前記相関閾値を改変し、
前記制御部が、要求メッセージを前記ハンドオーバ・イベントに応じて送り、
前記制御部が、前記要求メッセージに対する応答の検出を改善するために前記相関閾値を調整する請求項２０に記載の移動局。
【請求項２２】
前記要求メッセージが、在圏セルを変更する要求または前記移動局に対するアクティブ・セット内の構成メンバを変更する要求を含む請求項２１に記載の移動局。
【請求項２３】
前記制御部が、前記ハンドオーバ・イベントがクリティカル・イベントであれば前記相関閾値を調整し、前記ハンドオーバ・イベントがクリティカル・イベントでなければ前記相関閾値を変更せずにそのままにしておく請求項２１に記載の移動局。
【請求項２４】
前記制御部が、前記共用下りリンク・チャネルで無線リソースの制御メッセージが予期される場合、前記相関閾値を所定期間変更することにより前記相関閾値を改変し、
前記期間が前記ハンドオーバ・イベントのタイプに依存し、
前記制御部がさらに、前記所定期間が終了する際に前記相関閾値を以前の値に調整する請求項２１に記載の移動局。
【請求項２５】
前記制御部が、在圏セル内の基地局から前記移動局が受信する信号の強度、または前記ハンドオーバ・イベントのタイプに基づいて、前記相関閾値の変更量を決定することにより前記相関閾値を改変する請求項２１に記載の移動局。
【請求項２６】
移動局により実装される、共用下りリンクのトラヒック・チャネルの帯域内で送信される無線リソースの制御メッセージを検出する方法であって、
前記共用下りリンク・チャネルのパケットの検出失敗の可能性を低減するために、前記移動局が前記下りリンク共用チャネルで当該移動局に送られる無線リソースの制御メッセージを予期している場合に前記移動局内の受信機を改変する工程を有する方法。
【請求項２７】
前記受信機を改変する工程が、前記移動局が前記下りリンク共用チャネルで当該移動局に送られる無線リソースの制御メッセージを予期している場合、受信機構成を変更する工程を含む請求項２６に記載の方法。
【請求項２８】
前記受信機構成を変更する工程が、前記受信機の前記受信モードをＲＡＫＥ受信モードから汎用ＲＡＫＥ受信モードに変更する工程を含む請求項２７に記載の方法。
【請求項２９】
前記受信機構成を変更する工程が、当該受信機により使用される受信アンテナの数を変更することで前記受信モードを変更する工程を含む請求項２７に記載の方法。
【請求項３０】
前記受信機が複数のＲＡＫＥフィンガを有するＲＡＫＥ受信機または汎用ＲＡＫＥ受信機を備え、
前記受信機構成を変更する工程が、前記ＲＡＫＥフィンガの割り当てを変更する工程を含む請求項２７に記載の方法。
【請求項３１】
前記受信機を適合させる工程が、前記移動局が前記下りリンク共用チャネル上で当該移動局に送られる無線リソースの制御メッセージを予期している場合に前記受信機により使用される受信パラメータを変更する工程を含み、
前記方法は、前記共用下りリンク・チャネルでデータを受信するように前記移動局がスケジューリングされているか検出するために制御チャネルを監視する工程をさらに有する請求項２６に記載の方法。
【請求項３２】
前記制御チャネルがＷＣＤＭＡシステムにおける高速共用制御チャネルを備え、
前記共用トラヒック・チャネルがＷＣＤＭＡシステムにおける高速物理下りリンク共用チャネルを備える請求項３１に記載の方法。
【請求項３３】
前記共用下りリンク・チャネルでデータを受信するように前記移動局がスケジューリングされているか検出するために前記制御チャネルを監視する工程が、
相関値を生成するために制御信号と移動特有シーケンスとの相関をとる工程と、
前記相関値を相関閾値と比較する工程とを含み、
前記受信機を適合させる工程が、前記共用下りリンク・チャネルで前記無線リソースの制御メッセージが予期される場合に前記相関閾値を適合させる工程を含む請求項３１に記載の方法。
【請求項３４】
前記無線リソースの制御メッセージが予期される場合に前記相関閾値を改変する工程が、ハンドオーバ・イベントに応じて前記相関閾値を改変する工程を含む請求項３３に記載の方法。
【請求項３５】
前記ハンドオーバ・イベントに応じて要求メッセージを送る工程をさらに有し、
前記相関閾値の調整により前記要求メッセージへの応答の検出が改善され、
前記要求メッセージが在圏セルを変更する要求、または前記移動局に対するアクティブ・セット内の構成メンバを変更する要求を含む請求項３４に記載の方法。
【請求項３６】
ハンドオーバ・イベントに応じて前記相関閾値を調整する工程が、
前記ハンドオーバ・イベントがクリティカル・イベントであるかどうかを決定する工程と、
前記ハンドオーバ・イベントがクリティカル・イベントであれば前記相関閾値を調整する工程と、
前記ハンドオーバ・イベントがクリティカル・イベントでなければ前記相関閾値を変更せずにそのままにしておく工程と
を含む請求項３４に記載の方法。
【請求項３７】
無線リソースの制御メッセージが前記共用下りリンク・チャネルで予期されている場合に前記相関閾値を改変する工程が、前記相関閾値を、前記ハンドオーバ・イベントのタイプに依存する所定期間変更する工程と、
前記所定期間が終了する際、前記相関閾値を以前の値に調整する工程と
を有する請求項３４に記載の方法。
【請求項３８】
前記相関閾値を改変する工程が、在圏セル内の基地局から前記移動局が受信する信号強度、または前記ハンドオーバ・イベントのタイプに基づいて前記相関閾値の変更量を決定する工程を含む請求項３４に記載の方法。